【事件の表示】
　平成　３年特許願第３０６７２０号「サンド付き弾球遊技機」拒絶査定に対する審判事件［平成　５年　５月１４日出願公開、特開平　５−１１５６１１］について、次のとおり審決する。
【結　論】
　本件審判の請求は、成り立たない。
【理　由】
第一．手続の経緯・本願発明
　本願は、平成３年１０月２５日の出願であって、平成１３年１月２９日付で拒絶され、これに対して拒絶査定不服の審判が請求されると共に、平成１３年３月１３日付で手続補正がなされたもので、本願発明は、平成１３年３月１３日付手続補正書の特許請求の範囲に記載された請求項に記載されたとおりのものと認められるところ、請求項１に記載された発明は以下のとおりである。
　請求項１（以下「本願発明１」という）。
　「記録手段が挿入される挿入排出口部と、
該挿入排出口部に挿入された記録手段の記録内容を読み取る読取部と、
　該読取部により読み取られた記録内容に従って遊技者に対し残額等の貸出可能な遊技球に関係する情報を表示する表示部と、
　遊技球の貸出要求を行うために操作される貸出操作部と、
　前記挿入口部に挿入された記録手段の返却要求を行うために操作される返却操作部と、を備え、
　前記表示部、貸出操作部及び返却操作部を弾球遊技機の前面でかつ遊技領域を開閉する開閉扉枠よりも下方位置に設置し、
　弾球遊技機の正面からみて左側方には該弾球遊技機の高さと同程度の高さを有しかつ弾球遊技機よりも幅狭のサンドを一体的に連結された状態に付設し、
　該サンドの前面側には前記挿入排出口部を設置し、
　該サンドには前記読取部を設置し、
　該サンドに遊技球の排出口を設けることなく前記貸出操作部の操作に基づいて当該弾球遊技機の球払出機能によって遊技球が送り出されるように構成し、
　更に、前記表示部、貸出操作部及び返却操作部を弾球遊技機を構成する多構成部品のうち一構成部品に集約して設け、かつこれら表示部、貸出操作部及び返却操作部を、遊技球を遊技領域に向けて発射するために弾球遊技機にその正面から見て右側位置に設けられた操作ハンドルよりも左側位置に配置したこと
　を特徴とするサンド付き弾球遊技機。」
　
　　
第二．刊行物に記載された発明
　［１］．原査定の拒絶の理由に引用された、特開平１−２５０２８５号公報、及び本願出願前の周知技術を示す刊行物である、特開平３−９７４８１号公報、実願昭６３−３２５２９号（実開平１−１３５９８７号）のマイクロフィルム、特開昭６３−１２２４８２号公報、特開昭６３−２４２２８９号公報、特開平３−１９８８８９号公報、特開平１−２７７５８９号公報、特開昭６４−７２７８０号公報、実願昭６２−１４００４９号（実開昭６４−４６０８９号）のマイクロフィルムには、各々以下の事項が記載されている。
　　　
　　（１）特開平１−２５０２８５号公報（以下「刊行物１」という）
　　　（１−１）．「〔産業上の利用分野〕　本発明は、パチンコ遊技装置に係り、特に各パチンコ台ごとに一定個数のパチンコ玉を循環使用するとともに、賞玉数等の管理をコンピュータで行うようにしたパチンコ遊技装置に関する。〔従来の技術〕　かかる台循環式のパチンコ遊技装置としては、実公昭６０−７０９８号公報に記載されたものが提案されている。この台循環式のものによれば、従前のもののように、中央の玉補給装置から全部のパチンコ台に玉を供給するとともに、回収する方式のものに比べ、大規模な玉補給装置自体が不要になること、」（第２頁左下欄第８〜末行）
　　　（１−２）．「〔発明が解決しようとするする課題〕　しかし、上記公報に示されたものは、従来遊技者が持ち運んでいた貸玉を磁気カードに置き換えたものであることから、パチンコ台ごとにカードの内容を読み取るカード読み取り機が必要になるとともに、玉貸し機や貸玉精算機などにも同様のカード読み取り機や書き込み機が必要になり、特にパチンコ台の構成が複雑になるという問題があった。また、一日単位で精算する方式のパチンコ遊技装置に磁気カードを用いることは、費用がかかるという問題がある。」（第２頁右下欄第７〜１７行）　
　　　（１−３）．「〔作用〕　すなわち、本発明は、磁気カードに代えて、遊技者等が定める暗証コードを登録し、この登録コードを識別手段として用い、賞玉数などを含む遊技管理を行なう構成としたことを特徴とする。」（第３頁左下欄第１３〜１７行）
　　　（１−４）．「このような構成とすることにより、遊技者はセンタにて貸玉数を決めるとともに、コードを登録すると、それらがセンタ装置の登録テーブルに登録される。このとき遊技者はセンタ印字装置から出力される登録コードが印字された紙片を受け取る。
そして、選択したパチンコ台の操作パネルのコード入力手段を操作し、自分の登録コードを入力すると、台制御装置とセンタ制御装置とが連関動作して、台前面に設けられた賞玉カウンタに登録した貸玉数が賞玉数として表示される。これにより、遊技者は従前と同様の操作によりゲームを開始することができる。」（第３頁右下欄第１〜１３行）
　　　（１−５）．「さらに、登録コードを暗証コードによらず、バーコード表示の登録カードにより管理するものによれば、精算時の照合・確認の信頼性が一層向上する。」（第４頁左上欄末行〜同頁右上欄第３行）
　　　（１−６）．「また、賞玉カウンタ３０の内容は、逐次賞玉表示器３
７
　　　（１−７）．「次に、ゲーム開始操作について、第４図に示したフローチャートを参照しながら説明する。操作パネル１０のスタートボタン１１を押すと（ステップ１０１）、制御手段２１が起動され、・・・。ここで、遊技者は、テンキーボタン１２を操作して、自分の登録コードを入力すると、その内容はレジスタ１６に格納される。・・・入力が正常であった場合は、ステップ１０７において、センタ制御手段５２に登録コードの照合依頼を行う。・・・照合一致報告とともに転送された登録賞玉数を取り込み、賞玉カウンタ３０にロードする（ステップ１１０）。そして、給玉装置４０に送給開始指令を出力する（ステップ１１１）。これにより、遊技者は従前と同様の動作によりゲームを開始することができる。なお、給玉指令は、確認ボタン１４とアンド条件をとって出力するようにすることもできる。」（第５頁左上欄末行〜同頁右下欄第１０行）
　　　（１−８）．「第７図〜第９図において、第１図〜第３図実施例と同一機能・構成の部品については同一符合を付して説明を省略する。
　第７図に示すように、コード入力手段としてのテンキーボタン１２と入力指示ランプ１３に代えて、登録カードのカード読取装置６０と挿入指示ランプ６１が設けられている。そして、台印字装置４１やレジスタ１６が除かれている。
　カード読取装置６０は第９図に示すように、挿入される登録カード６２に表示されたバーコードの内容を読取って、台制御装置２１に出力するとともに、台制御装置２１からの指令によって保持していた登録カード６２を排出するようになっている。なお、第９図では、カード読取装置６０と挿入指示ランプ６１を台の下部に設けたものについて示したが、これらはどこに設けてもよく、例えば操作パネル１０に近接した位置に設けてもよい。」（第６頁左下欄第１５行〜同頁右下欄第１２行）
　　　（１−９）．「ゲーム終了時は、終了ボタン１５を押すと、カード読取装置６０から登録カード６２が排出される。」（第７頁右上欄第１６〜１８行）　
　　　（１−１０）．操作パネル１０は、「スタートボタン１１」、「確認ボタン１４」、「終了ボタン１５」を含む構成とされて弾球遊技機の前面に設置され、賞球表示器３７は、弾球遊技機の前面、かつ、遊技領域下方に設置され、操作レバー６が弾球遊技機の前面、かつ右側に設置されていることは、第７図、第９図から明らかであること
　　　（１−１１）．してみると、刊行物１には以下の発明（以下「引用発明」という）が記載されている。
　すなわち、
　各パチンコ台毎に一定個数のパチンコを循環使用するパチンコ遊技装置において、センタに登録したコードが記録された登録カード６２を、カード読取装置６０に挿入すると、登録カード６２に表示されたバーコードの内容が読み取られ、登録賞玉数がセンタ制御手段５２から賞玉カウンタ３０にロードされ、その内容が逐次賞玉表示器３７に出力表示されると共に、給玉装置４０には送球開始指令が確認ボタン１４とアンド条件の下で出力されること。
　また、終了ボタン１５が押されると、カード読取装置６０から登録カード６２が排出され、しかも、当該カード読取装置６０は、台の下部に設けた場合が示されているが、何処に設けても良いこと。
　さらに、パチンコ遊技装置の構成部品の配置として、「スタートボタン１１」、「確認ボタン１４」、「終了ボタン１５」が一体的に操作パネル１０として構成されて弾球遊技機の前面に設置され、賞球表示器３７は、弾球遊技機の前面、かつ、遊技領域下方に設置され、操作レバー６が弾球遊技機の前面、かつ右側に設置されていること。
　　　　　
　　（２）特開平３−９７４８１号公報（以下「刊行物２」という）
　　　（２−１）．「〔実施例〕　以下、本発明の実施例について図面を参照して説明する。第１図において、１は多数のパチンコ機１０を横に並設すると共に、その台間に球貸機２を設置したパチンコ機設置島で、その中央に研磨リフト３が設けられている。」（第２頁右下欄第１３〜１８行）
　　　（２−２）．「前記打球供給皿２０には表示手段としてのディジタル表示器３８が設けられる。また、ファール球受皿２３には遊技者が遊技を終了する際に操作する精算スイッチ手段としての精算ボタン３９と、情報記録カードの送出口４０ａ及び挿入口４０ｂが設けられる。さらにパチンコ機１０の裏面には情報記録カード発行手段としてのカード発行装置４１と、球貸手段としてのカード読取装置４２と、第一電磁カウンタ４３ａ及び第二電磁カウンタ４３ｂが設けられる。」（第４頁右下欄第１〜９行）
　　　（２−３）．「このコンピュータ４４には、第８図のブロック図に示すようにカード読取装置４２からの景品球数情報（球貸信号）が与えられる。」（第４頁左下欄第１７〜１９行）
　　　（２−４）．「尚、前記のようにして発行された情報記録カードを使用して別のパチンコ機で遊技を行う場合には、先ず遊技者は情報記録カードをカード読取装置４２の挿入口４０ｂに挿入する。そうすると、ステップ　マル２において情報記録カードが確認され、カード読取装置４２で読み取られた情報記録カードの景品球数情報がコンピュータ４４の記憶カウンタ及び第１電磁カウンタ４３ａに送られる。そして、この景品球数が景品球関数Ｘに置き換えられる（ステップ　マル１９）」（第６頁左上欄第９〜１８行）　
　　　（２−５）．「尚、前記打球供給皿２０に入賞球表示用のディジタル表示器４６を設けており、景品球を入賞球の数に換算した未放出の入賞球数を表示可能にして遊技者が自己の遊技状態を把握し易いようにしている。」（第６頁右上欄第１７行〜同頁左下欄第１行）
　　　（２−６）．「さらに遊技を止める際には打球供給皿２０及び景品球排出通路２９に溜まっている球をパチンコ機設置島１の球集合樋４に回収すると共に、その回収球にコンピュータ４４に記憶された景品球数を加算することにより遊技者の所有する総景品球数を算出してその値を記録した情報記録カードを発行するものであるから、」（第６頁左下欄第１１〜１８行）　
　　　（２−７）．してみると、刊行物２には以下の事項が記載されている。
　すなわち、
　カードを使用して球の供給を受ける球貸手段において、遊技者の所有する総景品球数（貸球数）の値を記録した情報記録カードを挿入口４０ｂに挿入すると、球貸手段としてのカード読取装置４２から、景品球数情報（球貸信号）がコンピュータ４４に与えられ、デジタル表示器３８に表示され、終了時には情報記録カード送出口４０ａから情報カードが発行されること。
　さらに、表示器、情報カード挿入口、送出口、精算ボタンが、パチンコ機の前面、かつ遊技領域の下方で操作ハンドルの左側に設置されていること。
　　　　
　　（３）．実願昭６３−３２５２９号（実開平１−１３５９８７号）のマイクロフィルム（以下「刊行物３」という）
　　　（３−１）．「３．考案の詳細な説明　産業上の利用分野　この考案は、パチンコ遊戯場のパチンコ機械の間に設けて用いられる台間玉貸装置に関する。更に詳しくはカードを使用して玉の供給を受ける形式の台間玉貸装置に関する。」（第２頁第４〜９行）
　　　（３−２）．「使用者が差込口ｃに図示しないカードを差込むと、データ読取装置ｅはそのカードに記録されている内容を読取り、これにより前記計数供給装置ｇに出力してこれを作動させ、所定数の玉を取出部ｄに供給する。
なお、図示は省略するが、第１５図に示す装置に加えて操作ボタンを設けたものもある。この装置は前記のようにカード差込口ｃにカードを差込み、その後図示しない操作ボタンを押すことにより、カードの読取りと、その後の作動が起るようになっており、このような二通りの装置が用いられている。」（第３頁第６〜１８行）
　　　（３−３）．「又、前記操作ボタン１０は第３図に示すように、一体的に形成され、互に反対方向を向く面１６、１６を形成し、これにそれぞれ釦１７、１７を設けてもよい。又前記カード差込口５，５は、第１図に示すように本体１１外に設けられていてもよく、又は第４図、第５図に示すように本体１１に設けられていてもよい。」（第８頁第１〜７図）
　　　（３−４）．してみると、刊行物３には以下の事項が記載されている。
　すなわち、
　カードを利用して玉の供給を受ける台間玉貸機においてカードが差込口に差込まれ、操作ボタンが押されると、データ読取装置がその記録内容を読み取って、所定数の玉が供給されること、及びカード差込口は本体でも本体外に設けられても良いこと。
　　　　
　　（４）．特開昭６３−１２２４８２号公報（以下「刊行物４」という）
　　　（４−１）．「〈従来の技術〉　周知のように、従来の球貸機は、硬貨投入口と球排出装置を少なくとも有し、パチンコ機とパチンコ機との間に設置したり、或いはパチンコ機とは全く別個に設置されている。」（第１頁右欄第８〜１２行）
　　　（４−２）．「〈問題点を解決するための手段〉　本発明は上記に鑑み提案されたもので、カード挿排口とカード読取装置と金額表示器を少なくとも有する球貸機能部をパチンコ機或いはその近傍に配設し、上記カード読取装置と金額表示器を当該球貸機能部の球貸用電気的制御装置に接続し、」（第２頁左上欄第６〜１１行）
　　　（４−３）．してみると、刊行物４には以下の事項が記載されている。
　すなわち、
　カード挿排口とカード読取装置と金額表示器を少なくとも有する球貸機をパチンコ機の間に設置していること　　　
　　（５）．特開昭６３−２４２２８９号公報（以下「刊行物５」という）
　　　（５−１）．「（２１）はカード読取装置である。カード読取装置（２１）はパチンコゲーム機（１１）間に設ける台間玉貸機（１２）の上部あるいは下部等の操作者面よりの任意位置に設置する」（第３頁右下欄第１０〜１３行）
　　　（５−２）．「この実施例では、貸玉は直接、玉受皿部（１３）へ送られるため貸玉管理はより正確となるが、貸玉は一旦台間貸玉機の外の玉貸部受皿へ出し、その後ゲーム者によりパチンコゲーム機（１１）玉受部へ移動させてもよい。更にこの実施例では、台間球貸機（１２）はパチンコゲーム機２台に１台設置し、各カード挿入口（２６）ａ，（２６）ｂを各パチンコゲーム機（１１）、貸玉供給手段（４３）に対応させて設けたため、読取手段を増加することなく、貸玉の玉管理を正確におこなえる。しかし、台間玉貸機（１２）をパチンコゲーム機（１１）１台毎に設け、読取手段を各ゲーム機に対応させて１台づつ設けてもゲーム機は常に特定の貸玉供給手段（４３）から貸玉されるようにすれば同様の効果を得られる。」（第６頁右上欄第７行〜同頁左下欄第２行）
　　　
　　（６）．特開平３−１９８８８９号公報（平成３年８月３０日公開、以下「刊行物６」という）
　　　（６−１）．「［従来の］技術　従来パチンコ遊技場におけるパチンコ島には、多数のパチンコ機と、そのパチンコ機で使用される遊技玉を貸し出す複数の玉貸機とが交互に配列されていた。このようなパチンコ玉の玉貸機は、通称サンドウィッチと称され、」（第１頁右欄第６〜１１行）
　　　（６−２）．「第５図に示す球貸機２０によって貸し出される遊技玉がパチンコ島１の内部に配置された供給管又は球貸機２０を介して上皿１３の裏面に払出されるようになっている点である。」（第２頁右下欄第１１〜１４行）
　　　（６−３）．「カード投入口２８は、現金の代りに予め現金で購入したカードを差込むためのものである。そして、カード投入口２８の後方には、図示ないが、投入されたカードの真贋及びカードに記憶された遊技玉データ等を確認する識別機が設けられている。」（第４頁右下欄第５〜１０行）
　　　　
　　（７）．特開平１−２７７５８９号公報（以下「刊行物７」という）
　　　（７−１）．「〔従来の技術〕　近年、カード状の記録媒体を媒介として遊技を行なうようにしたカード式のパチンコ遊技システムが提唱されている。・・・。従来提案されているカード式パチンコ遊技システムには、大きく分けると次の２つの方式がある。
　第１の方式は、カードの発行に際して購入金額に対応した持玉数データをカードに記載し、この持玉数データの範囲内でパチンコ遊技を行ない、遊技過程において増減した持玉数データをカードに記憶するというものである。（特公昭４７−４２２２７号参照）
　カード方式の第２の方式は、カードの購入の際にコード番号だけを記録したカードを発行し、持玉数は管理装置に記憶し、カードをパチンコ機のカード読取装置に挿入することによって記憶された持玉数を呼び出して遊技を行なえるようにするものである。（実公昭６１−３２７０９号、特公昭５１−１７１０６号）」（第２頁左上欄第１２行〜同頁右上欄第１３行）
　　　
　　（８）．特開昭６４−７２７８０号公報（以下「刊行物８」という）
　　　（８−１）．「〔従来の技術〕　カードを用いてパチンコ玉を貸出すパチンコカードシステムとして次のようなものが提案されている。この遊技カードシステムにおいては、そのカードは発行した店限りで有効であるため、カードには店番号を記録している。また、カードの改竄や複製等の不正を防止するため、カードへデータを記録する場合は暗号キーによりデータを暗号化して記録するようにしている。さらに、不正にカードが複製されるのを防止するため、個々のカードを区別する識別番号をも記録するようにしている。」（第１頁右欄第１１行〜第２頁左上欄第３行）
　　　（８−２）「カードＰＣのベースは紙であり、裏面には高抗磁力の磁性体粉が塗布されていて、裏面の印刷されていない磁気記録領域４に種々のデータが記録される。・・・。カードＰＣの表面には、発行日が印字される発行日印字領域５と精算済や残金額が記録される残金領域６が設けられている。」（第３頁左下欄第１８〜同頁右下欄第９行）
　　　
　　（９）．実願昭６２−１４００４９号（実開昭６４−４６０８９号）のマイクロフィルム（以下「刊行物９」という）
　　　（９−１）．「〔従来の技術〕　パチンコなどの遊技装置においては現金を投入してパチンコ玉等の遊技物体の貸出を受ける貸出装置が設けられる。特にパチンコ台においては遊技者の便宜のため２つのパチンコ台の間に１台おきに台間玉貸機を備えることが多くなっている。ところで、パチンコの分野ではこのようなパチンコ玉の貸出を従来の現金に代って電話料金に対するテレフォンカードや鉄道料金に対するオレンジカードのような前払いカード（以下「カード」という）を用いて貸出すシステムであるパチンコカードシステムが開発されている。」（第３頁１１行〜第４頁第３行）
　　　（９−２）．「カードＰＣのベースは紙であり、裏面には高抗磁力の磁性体粉が塗布されていて、裏面の印刷されていない磁気記録領域４に種々のデータが記録される。」（第１１頁第７〜１０行）
　
　
第三．本願発明１と引用発明に記載された発明との対比
　［１］．構成の対応関係
　　（１）．引用発明における「登録カード」は、暗証が記録された貸球数特定手段の点において、本願発明における「記録手段」すなわち「暗証番号が記録されたプリペイドカード」に相当する。
　　（２）．引用発明における「カード読取装置６０」は、本願発明における「読取部」に相当する。
　　（３）．引用発明において、賞玉カウンタに登録した貸し玉数が貸し玉数として表示される「賞玉表示器３７」は、本願発明における「遊技者に対し残額等の貸出可能な遊技球に関係する情報を表示する表示部」に相当する。
　　（４）．引用発明において、給玉装置４０に送球開始指令を出力させる、「確認ボタン１４」は、本願発明における「貸球ボタン８」、すなわち「遊技球の貸出要求を行うために操作される貸出操作部」に相当する。
　　（５）．引用発明における「終了ボタン」は、本願発明における「返却操作部」に相当する。
　　（６）．引用発明における「パチンコ遊技装置」は、本願発明における「弾球遊技機」に相当する。　
　　
　［２］．両者の一致点、相違点
　　（１）．一致点
　　　暗証が記載された貸球数特定手段が挿入される挿入排出口部と、
該挿入排出口部に挿入された、暗証が記載された貸球数特定手段の記録内容を読み取る読取部と、
　該読取部により読み取られた記録内容に従って遊技者に対し残額等の貸出可能な遊技球に関係する情報を表示する表示部と、
　遊技球の貸出要求を行うために操作される貸出操作部と、
　前記挿入口部に挿入された暗証が記載された貸球数特定手段の返却要求を行うために操作される返却操作部とを備え、
　前記表示部、貸出操作部及び返却操作部を弾球遊技機の前面に設置し、
　前記貸出操作部の操作に基づいて当該弾球遊技機の球払出機能によって遊技球が送り出されるように構成し、かつ、これら表示部、貸出操作部及び返却操作部を、遊技球を遊技領域に向けて発射するために弾球遊技機にその正面から見て右側位置に設けられた操作ハンドルに対して適宜位置に配置したことを特徴とする弾球遊技機
　　
　　（２）．相違点
　　　（ア）．暗証が記載された貸球数特定手段に関して、引用発明は、暗証コードが記録されたカードであるのに対し、本願発明では、暗証番号の他に金額情報が記録されたプリペイドカードである点
　　　（イ）．表示部、貸出操作部及び返却操作部の配置、及び構成に関して、両者は共に弾球遊技機の前面に配置されているが、引用発明では、表示部が遊技領域より下方、かつ操作ハンドルよりも左側に設置され、貸出操作部及び返却操作部については、遊技領域の右方に配置されているのに対して、本願発明では、表示部、貸出操作部及び返却操作部全てが、(i)．遊技領域を開閉する開閉扉よりも下方位置、かつ、遊技球を遊技領域に向けて発射するために弾球遊技機にその正面から見て右側位置に設けられた操作ハンドルよりも左側位置に配置されている点、及び(ii)．一構成部品に集約して設けられている点
　　　（ウ）．サンド、すなわち、台間球貸機に関して、引用発明では、台間球貸機に関する記載は認められないのに対し、本願発明においては、弾球遊技機の正面からみて左側方には該弾球遊技機の高さと同程度の高さを有しかつ弾球遊技機よりも幅狭のサンドを一体的に連結された状態に付設され、さらに、サンド、すなわち、台間球貸機には、挿入排出口部、読取部は設置されているが、遊技球の排出口は設けられていない点。
　　　（エ）．引用発明は、いわゆる「封入式パチンコ機」であるのに対し、本願発明は「封入式パチンコ機」である旨の記載は認められない点
　
　　［２］．相違点の検討
　　　（１）．相違点（エ）について、
　　　　いわゆる、封入式パチンコ機及びそれ以外のパチンコ機は共に周知のパチンコ機であり、台間球貸機等の球貸機との関係においては格別の相違は認められないから、一方の技術事項を他方に適用することは当業者にとっては設計変更程度の事項であると認められる。
　したがって、球貸等のパチンコ機の技術事項をどちらの形式で達成するかは当業者が適宜なし得る程度の事項であるから、当該相違点（エ）は格別のものではない。
　　
　　（２）．相違点（ウ）について、
　　　球貸機としてパチンコ機より幅狭の台間球貸機は、刊行物２〜刊行物６、刊行物８、刊行物９に示されるように周知であり、しかも、台間球貸機に球貸用カードの挿入排出口部、読取部を設置すると共に、遊技球の排出口を設けない構成も刊行物４〜刊行物６に示されるように周知の構成であるから、前記周知のパチンコ機、すなわち周知の弾球遊技機の球貸手段として、前記周知の台間球貸機を採用することは、パチンコの形式に応じて当業者が適宜為し得る程度の事項である。
　したがって、当該相違点（ウ）は格別のものではない。
　　　
　　　（３）．相違点（イ）について、
　　　　パチンコ構成部品の配置に際しては、各部品の使用頻度、見やすさ、操作性等諸々の事項を考慮して配置することは技術常識であり、当該構成部品の１である表示部の配置個所として、遊技盤の下方、かつ操作ハンドルの左側を選定している点が刊行物１に示されており、さらに、表示部、返却操作部の配置箇所として、遊技盤の下方、かつ、操作ハンドルの左側が刊行物２に示されていること等に鑑みれば、当該相違点（ｉ）は、当業者が適宜なし得る設計的事項と認められる。
　また、複数の構成部品を一体的に集約することは、刊行物１のスタートボタン、確認ボタン、終了ボタン等を集約した操作パネル、刊行物２の情報カード挿入口、情報カード排出口、終了ボタンが集約されているファール球受皿にも示されているように周知の技術事項であるから、当該相違点も当業者が適宜なし得る設計的事項と認められる。
　しかも、表示部、貸出操作部及び返却操作部を遊技盤の下方、かつ操作ハンドルの左側に一体的に配置したことによる効果も格別のものでなく予測の範囲内の効果であると認められる。
　してみると、当該相違点（ｉ），（ｉｉ）は当業者が適宜為し得る設計的事項であるから、当該相違点（イ）は格別のものではない。
　　　
　　　（４）．相違点（ア）について、
　　　　カード式パチンコ遊技システムにおいて、景品球などの持玉数の管理手段として、中央の記憶手段に記憶させて、識別手段にて中央の記憶手段から呼び出す管理手段、及びカード自体に記録させる管理手段は、刊行物７に（７−１）と記載されるようにどちらも周知の手段であるから、どちらの管理手段を採用するかは単なる設計的事項である。
　さらに、当該管理手段に記憶させる記憶内容としては、前記（９−１）、（８−１）、（８−２）、（６−３）、（４−２）に記載されるように、金額、遊技玉、識別番号等種々のデータが記録されることも周知であるから、前記管理手段に応じて、適宜設定し得る程度の事項である。
　したがって、当該相違点（ア）は格別のものではない。
　　　
　　　
第四．むすび
  したがって、本願発明１は、刊行物１に記載された発明、及び周知事項に基づいて当業者が容易に発明をすることができたものであるので、特許法第２９条第２項の規定により特許を受けることができない。
　よって、結論のとおり審決する。